(57)【要約】      （修正有）【課題】吊下げハンマ式の時計の時打ち機構を提供する。【解決手段】時計の時打ち機構１００であって、少なくとも１つのゴングまたは放射要素を支持する固定構造１と、作動可動部品４の作用下にある、平面における可動ハンマ３とを備え、作動可動部品４は、ゴングの打撃のためにハンマ３のアンクルおよび解放を制御する。時打ち機構１００は、ハンマ３を吊り下げるために、少なくとも１つの平面状可撓性ガイド１０を、構造１とハンマ３との間に備えて、平面のみにおけるハンマ３のムーブメントを可能にし、構造１とハンマ３との間に唯一の機械的連結部を形成し、時打ち機構１００は、作動可動部品４を駆動し、かつ作動可動部品４に巻きサイクルを実行させ、巻きサイクル中、作動可動部品４は、ハンマ３を駆動しながら、一定量のエネルギーを可撓性ガイド１０に供給し、その後、ハンマ３を解放して、降下中にゴングの打撃によって時打ち機構を実行する。【選択図】図１
2020091287.tif 000002
【特許請求の範囲】
【請求項１】
時計の時打ち機構（１００）であって、
少なくとも１つのゴングまたは放射要素（２）を支持する固定構造（１）と、
前記機構（１００）に含まれる作動可動部品（４）の作用下で前記固定構造（１）に対して相対的な可動ハンマ（３）とを備え、前記作動可動部品（４）は、少なくとも１つの前記ゴングまたは放射要素（２）の打撃のために前記ハンマ（３）のアンクルおよび解放を制御するように配置され、
前記時打ち機構（１００）は、前記ハンマ（３）を吊り下げるために、少なくとも１つの可撓性ガイド（１０）を備え、前記可撓性ガイド（１０）は、前記固定構造（１）と前記ハンマ（３）との間に配置されて、前記ハンマ（３）のムーブメントを可能にし、前記固定構造（１）と前記ハンマ（３）との間に唯一の恒久的な機械的連結部を形成することを特徴とする時打ち機構（１００）。
【請求項２】
前記時打ち機構（１００）は、前記作動可動部品（４）を駆動して時打ち機構を実行し、かつ前記作動可動部品（４）に巻きサイクルを実行させるように配置され、前記巻きサイクル中、前記作動可動部品（４）は、前記ハンマ（３）を駆動しながら、一定量のエネルギーを蓄積する前記少なくとも１つの可撓性ガイド（１０）にエネルギーを供給し、その後、前記ハンマ（３）を解放して、前記可撓性ガイド（１０）に蓄積された前記エネルギーに対応する一定量のエネルギーを用いて、降下中に前記ハンマ（３）による少なくとも１つの前記ゴングまたは放射要素（２）の打撃によって前記時打ち機構を実行することを特徴とする、請求項１に記載の時打ち機構（１００）。
【請求項３】
少なくとも１つの可撓性ガイド（１０）は平面状で、前記固定構造（１）と前記ハンマ（３）との間に配置されて、単一平面（Ｐ）のみにおける前記ハンマ（３）のムーブメントを可能にすることを特徴とする、請求項１に記載の時打ち機構（１００）。
【請求項４】
少なくとも前記可撓性ガイド（１０）は複数の弾性ストリップ（１１）を備え、前記弾性ストリップ（１１）は、前記平面（Ｐ）または前記平面（Ｐ）に平行な複数の平面において延び、互いに平行であるか、または実際に、仮想回動軸（Ｄ）の高さで前記平面（Ｐ）上において突出して交差していることを特徴とする、請求項３に記載の時打ち機構（１００）。
【請求項５】
少なくとも１つの前記可撓性ガイド（１０）は、少なくとも１つの双安定または多安定弾性ストリップを備えることを特徴とする、請求項１〜４のいずれか一項に記載の時打ち機構（１００）。
【請求項６】
前記時打ち機構（１００）は少なくとも１つの前記可撓性ガイド（１０）を備え、前記可撓性ガイド（１０）は、平面（Ｐ）における前記ハンマ（３）の巻きおよび降下移動時に前記ハンマ（３）を案内し、降下移動の終了時に前記ハンマ（３）を加速させるように配置されることを特徴とする、請求項１〜４のいずれか一項に記載の時打ち機構（１００）。
【請求項７】
少なくとも１つの前記可撓性ガイド（１０）は、平面（Ｐ）における前記ハンマ（３）の巻きおよび降下移動時に前記ハンマ（３）を案内するように配置された少なくとも１つの第１の弾性ストリップと、降下移動の終了時に前記ハンマ（３）を加速させるように配置された少なくとも１つの第２の弾性ストリップとを備えることを特徴とする、請求項１〜４のいずれか一項に記載の時打ち機構（１００）。
【請求項８】
前記可撓性ガイド（１０）のうちの少なくとも１つは補強ストリップ（１２）を備え、前記補強ストリップ（１２）は、前記ハンマ（３）の降下移動中および前記ゴングまたは放射要素（２）に対する打撃前に、前記固定構造（１）に堅く接続された固定バンキング（１３）に特に中央部分において当接することにより協働するように配置されて、前記ハンマ（３）が前記ゴングまたは放射要素（２）に衝突する直前に前記ハンマ（３）を加速させることを特徴とする、請求項１〜４のいずれか一項に記載の時打ち機構（１００）。
【請求項９】
前記ハンマ（３）は、前記ハンマ（３）を回動させるための巻き段階中に前記作動可動部品（４）に含まれる作動歯（１５）と協働するように配置された第１の巻き歯（１４）を備え、
前記ハンマ（３）は、前記第１の巻き歯（１４）から離れたところに、前記ゴングまたは放射要素（２）を叩くように配置されたストライカ（１７）を備え、
前記時打ち機構（１００）は、前記第１の巻き歯（１４）付近および前記ストライカ（１７）付近に前記可撓性ガイド（１０）を備えることを特徴とする、請求項１〜４のいずれか一項に記載の時打ち機構（１００）。
【請求項１０】
前記ハンマ（３）は、前記ハンマ（３）を回動させるための巻き段階中に前記作動可動部品（４）に含まれる作動歯（１５）と協働するように配置された第１の巻き歯（１４）を備え、
前記可撓性ガイド（１０）は、前記第１の巻き歯（１４）付近に少なくとも第１の弾性ストリップを備え、
前記ハンマ（３）は、前記第１の巻き歯（１４）から離れたところに、前記ゴングまたは放射要素（２）を叩くように配置されたストライカ（１７）を備え、
前記可撓性ガイド（１０）は、前記ストライカ（１７）付近に少なくとも第２の弾性ストリップを備えることを特徴とする、請求項１〜４のいずれか一項に記載の時打ち機構（１００）。
【請求項１１】
前記時打ち機構（１００）は、時打ち機構香箱ならびに／またはエネルギー蓄積および分配手段を備え、
前記ハンマ（３）は、前記ハンマ（３）を回動させるための巻き段階中に前記作動可動部品（４）に含まれる作動歯（１５）と協働するように配置された第１の巻き歯（１４）と、巻きの終了時および少なくとも降下開始時に２つのさらなる前記作動歯（１５）間に挿入されるように配置された第２の外れ防止歯（１６）とを備えて、前記時打ち機構香箱ならびに／またはエネルギー蓄積および分配手段の制御されない巻戻しを防止することを特徴とする、請求項１〜４のいずれか一項に記載の時打ち機構（１００）。
【請求項１２】
前記ハンマ（３）は、少なくとも１つのハンマ磁石（２３）または強磁性ハンマ要素を備え、前記ハンマ磁石（２３）または強磁性ハンマ要素は、可動部品の強磁性要素または可動部品の磁石（２４）と協働して、前記作動可動部品（４）により前記ハンマ（３）を駆動および解放するように配置されることを特徴とする、請求項１〜４のいずれか一項に記載の時打ち機構（１００）。
【請求項１３】
前記ハンマ（３）は実質的な回転ムーブメントまたは回転ムーブメントの組合せによって動くことを特徴とする、請求項１〜４のいずれか一項に記載の時打ち機構（１００）。
【請求項１４】
前記ハンマ（３）は長手方向ムーブメントによって動くことを特徴とする、請求項１〜４のいずれか一項に記載の時打ち機構（１００）。
【請求項１５】
前記ハンマ（３）は長手方向ムーブメントによって動き、
前記ハンマ（３）は、ベアリング・ブロック（３４）内で長手方向に案内される可動フレーム（３３）を備え、前記フレーム（３３）は内部にチャンバ（３５）を備え、前記チャンバ（３５）内に、静止突起（３６）が前記作動可動部品（４）に含まれる作動歯（１５）と協働するように配置されることを特徴とする、請求項１〜４のいずれか一項に記載の時打ち機構（１００）。
【請求項１６】
前記ハンマ（３）および前記ハンマ（３）を支持する前記可撓性ガイド（１０）、ならびに前記ハンマ（３）が協働する前記ゴングまたは放射要素（２）は、前記平面（Ｐ）に沿って突出し、前記平面（Ｐ）に垂直な平面に関して対称であることを特徴とする、請求項１〜４のいずれか一項に記載の時打ち機構（１００）。
【請求項１７】
前記時打ち機構（１００）は、前記ハンマ（３）を吊り下げるために、互いに離れた別々の複数の平面状可撓性ガイド（１０）を備えることを特徴とする、請求項１〜４のいずれか一項に記載の時打ち機構（１００）。
【請求項１８】
前記時打ち機構（１００）は、複数の前記ハンマ（３）と複数の前記ゴングまたは放射要素（２）とを備えることを特徴とする、請求項１〜４のいずれか一項に記載の時打ち機構（１００）。
【請求項１９】
前記ハンマ（３）と前記ハンマ（３）を支持する前記可撓性ガイド（１０）のうちの１つとはともに、前記時打ち機構を規制するように配置された共振器を形成することを特徴とする、請求項１〜４のいずれか一項に記載の時打ち機構（１００）。
【請求項２０】
エネルギー蓄積および／または発生手段（２００）と、請求項１〜４のいずれか一項に記載の時打ち機構（１００）を駆動するように配置された時計ムーブメント（３００）とを備える腕時計（１０００）。
【発明の詳細な説明】
【技術分野】
【０００１】
本発明は、時計の時打ち機構であって、少なくとも１つのゴングまたは放射要素を支持する固定構造と、前記機構に含まれる作動可動部品の作用下で前記固定構造に対して相対的な、平面における可動ハンマとを備え、作動可動部品は、少なくとも１つの前記ゴングまたは放射要素の打撃のために前記ハンマのアンクルおよび解放を制御するように配置される時打ち機構に関する。
【０００２】
本発明はさらに、エネルギー蓄積および／または発生手段と、そのような時打ち機構を駆動するように配置された時計ムーブメントとを備える腕時計に関する。
【０００３】
本発明は、時計の時打ち機構またはアラーム機構の分野に関する。
【背景技術】
【０００４】
本発明は、時打ち機構およびアラーム機構に関し、特に、これらの機構に含まれるハンマを作動させるためのシステムに関する。
【０００５】
従来の設計のゴング作動機構は、通常、ハンマを作動させてゴングまたは放射要素を叩くアンクル・アセンブリまたはアンクルを備えるが、このような機構は制限され、特に不規則であることが多い。
【０００６】
特に、時打ち機構の音の強さは、機構のエネルギー蓄積中に変化する。
【０００７】
また、音質は常に最適であるとは限らず、打撃の質を最適化することによって向上させる必要がある。
【先行技術文献】
【特許文献】
【０００８】
【特許文献１】スイス特許出願ＣＨ０１４２１／１６
【特許文献２】欧州特許出願ＥＰ１６１９５４０５．２
【特許文献３】欧州特許ＥＰ２８３１６７７Ｂ１
【発明の概要】
【発明が解決しようとする課題】
【０００９】
本発明は、時打ち機構またはアラーム機構の打撃の質および規則性を向上させることを提案する。
【課題を解決するための手段】
【００１０】
この目的のために、本発明は、請求項１に記載の時計の時打ち機構に関する。
【００１１】
本発明はさらに、エネルギー蓄積および／または発生手段と、そのような時打ち機構を駆動するように配置された時計ムーブメントとを備える腕時計に関する。
【００１２】
添付図面を参照しながら以下の詳細な説明を読めば、本発明のさらなる特徴および利点が明らかになろう。
【図面の簡単な説明】
【００１３】
【図１】突出交差ストリップを有する可撓性ガイドにハンマが取り付けられた、時打ち機構の概略部分平面図である。
【図２】図２〜図４は、弾性タイプなどのさらなる可撓性ガイドにそのようなハンマを有し、様々な剛性／力学を有する機構を、図１と同様に示す図である。図２は、突起により駆動される作動可動部品、ここではハンマを巻く作動車を示す図である。
【図３】完全に巻かれたハンマを示し、ハンマをプレートに接続する可撓性ストリップが第１の凹面に従って湾曲している様子を示す図である
【図４】ゴングに向かって打撃移動中のハンマを示し、ハンマの可撓性ガイドが、プレートに堅く接続された固定バンキングに当接することにより協働し、ハンマを支持する可撓性ガイドの遠位端が、第１の凹面とは反対側の第２の凹面を使用し、トグルのようにハンマを押してゴングを叩く様子を示す図である。
【図５】４棒機構を使用する揺り木馬の概略立面図である。
【図６】複数の可撓性ガイドにハンマが取り付けられ、可撓性ガイドが、作動可動部品上の第１の可撓性ガイドと、ゴングを叩くようにハンマに含まれるストライカ側の第２の可撓性ガイドとを含む、４棒機構に基づく設計によるさらなる時打ち機構を、図１と同様に示す図である。
【図７】図７〜図１０は、動作シーケンスを示す図である。図７は、衝突直後のシステムの状態を示す図である。
【図８】静止時のシステムを示す図である。
【図９】ハンマの最大巻き位置を示す図である。
【図１０】ゴングへの衝突中のハンマを示す図である。
【図１１】Ｔｈｅ  Ｓｗａｔｃｈ  Ｇｒｏｕｐ  Ｒｅｓｅａｒｃｈ  ＆  Ｄｅｖｅｌｏｐｍｅｎｔ  Ｌｔｄが保持するスイス特許出願ＣＨ０１４２１／１６または欧州特許出願ＥＰ１６１９５４０５．２による磁気式脱進機機構を備え、突出交差ストリップを有する可撓性ガイド上のハンマと、脱進機車により担持される他の磁石と協働するように配置された支持磁石とを備える、本発明の代替実施形態を示す図である。
【図１２】直線ガイド上のハンマにより作動する代替実施形態におけるさらなる時打ち機構を、図１と同様に示す図である。
【図１３】エネルギー蓄積および／または発生手段と、そのような時打ち機構を駆動するように配置された時計ムーブメントとを備える腕時計を示すブロック図である。
【発明を実施するための形態】
【００１４】
本発明は、時打ち機構およびアラーム機構に関し、より詳細には、ハンマ作動システムに関する。
【００１５】
本発明は、可撓性ガイドを使用して、ゴング・ハンマを案内し、元に戻すことを提案する。最も基本的な機構が、少なくとも可撓性ガイドにより吊り下げられたハンマを示す図１に概略的に示される。ここでは、可撓性ガイドは、略平面移動でハンマを案内する２つの突出交差弾性ストリップを有する可撓性ガイドの形で非限定的に示される。図１の機構は、以下のように動作する。作動可動部品、特に作動車、または実際にはアンクルがハンマを持ち上げ、図示した例のように、ハンマに含まれる歯が作動車に係合しなくなるまで、ハンマを静止位置から動かして巻きを行う。その後、ハンマは、降下中に、ばねに含まれるエネルギーの作用により落下し、ゴングまたは放射要素を叩く。作動車は再びハンマに係合し、動作が同様に繰り返される。
【００１６】
ハンマの静止位置は規定されていない。ハンマの静止位置は衝突位置に非常に近いと好ましいと思われる。プレストレスを与えたハンマを用いる解決策も想定することができる。プレストレスを与えることにより、ハンマに蓄積されるエネルギーを調節することができる。可撓性ガイドが存在すると、特に遊びをなくしてハンマが正確に位置決めされるという利点がある。これにより、ハンマの機械的回動の遊びによって既存の時打ち機構に生じる通常の寄生ノイズをなくすことができる。可撓性ガイドは、ハンマに蓄積されるエネルギーを正確に規定する。したがって、システムは、打撃のたびに同量のエネルギーを供給することができる。さらなる利点が時打ちの終了時に見られる。時打ちの終了時には、作動車がハンマを持ち上げることができなくなるが、小さいトルクを加えることにより、ハンマがゴングまたは放射要素に接触することを防ぎ、したがって、リバウンドなどによりゴングを意図せず叩くことを防ぐ。
【００１７】
ハンマと可撓性ガイドとから形成された組合せシステムが共振器を形成し、この共振器が時打ち機構の規制に適切に使用されることを理解されたい。
【００１８】
図２〜図４は、可撓性ガイドに含まれる少なくとも１つのストリップの経路上に、その動作範囲内で障害物を挿入することにより、可撓性ガイドの動的剛性を修正することからなる代替実施形態を示す。図２はハンマの巻きの中間位置を示し、図３はハンマが完全に巻かれた位置を示し、図４は、戻り止め、およびハンマが打撃位置へ向かう移動の開始を示し、衝突直前に、可撓性ガイドがピンまたはさらなる固定障害物に当接した後に、ハンマがゴングまたは放射要素に接触する。境界で、このバンキングの協働を、まさに衝突の瞬間に行うことができる。プレートの側面の凹部からハンマまでのストリップの有効長が図４よりも図３において長いため、図３の位置における機構の剛性は図４の位置よりも低い。図４の位置において、ストリップ全体が変形するが、図３よりも剛性が高いことが明らかである。この原理は、カタパルトまたは非常に旧式のプロペラの原理に相当する。
【００１９】
本発明の代替実施形態は、図５に示す揺り木馬の動作の原理に基づく。この機構は「４棒機構」として知られる。木馬は通常、小さい振幅で揺れ、大きい振幅で跳ね上がるので興味深い。木馬をハンマに置き換えることによりこのシステムを入れ換えると、ハンマを、ゴングまたは放射要素に衝突する直前に、木馬が跳ね上がるように加速させることができる。機構が明らかに簡単であるにもかかわらず、設計は比較的複雑である。多くの解決策および可能性がある。案内される要素の経路および可動部品の速度は、特許請求する実施形態により定義することができる。
【００２０】
腕時計製造のために、４棒回動点またはヒンジ点を可撓性ガイドに置き換える。さらなる解決策は、棒全体を可撓性ストリップに置き換えることである。設計の例が図６に示され、様々な動作シーケンスが図７〜図１０で説明される。
【００２１】
４棒システムまたは他の同等の可撓性ガイドが、時打ち直前にハンマを加速させるように設計されると有利である。これは、この機構の主な利点の１つである。
【００２２】
また、ピンなどのバンキングを加えることもでき、これにより、図４に示す原理に従って、図７〜図１０のシステム上における可撓性ガイドの剛性／力学を修正する。
【００２３】
本発明のさらなる代替実施形態は、Ｔｈｅ  Ｓｗａｔｃｈ  Ｇｒｏｕｐ  Ｒｅｓｅａｒｃｈ  ＆  Ｄｅｖｅｌｏｐｍｅｎｔ  Ｌｔｄが保持するスイス特許出願ＣＨ０１４２１／１６または欧州特許出願ＥＰ１６１９５４０５．２による磁気式脱進機機構に基づくものであり、突出交差ストリップを有する可撓性ガイド上のハンマと、脱進機車により担持されるさらなる磁石と協働するように配置された支持磁石とを備える。この代替実施形態は非常に簡単であり、図１１に示すように、時打ち機構のハンマを作動させるためのこの脱進機機構の教示を、共振器の代わりに入れ換えるだけでよい。
【００２４】
図１２は、ハンマを作動させるために直線可撓性ガイドを使用するさらなる代替実施形態を示し、作動車が、特にＮｉｖａｒｏｘ−ＦＡＲ  ＳＡが保持する、可動フレーム脱進機機構に関する欧州特許ＥＰ２８３１６７７Ｂ１に特に記載されるような可動フレームの隆起部分と協働する。この機構により、傾斜打撃の代わりに直線打撃を行うことができるため、大きさの理由で有利となり得る。
【００２５】
ハンマの長孔内で摺動するピンを（作動車上に）配置することにより、ハンマを作動させることもできる。この場合、ハンマの力学は列の力学に関連するため、ハンマの力学が修正されることに留意されたい。
【００２６】
可撓性ガイドにより、多くのムーブメントを実行することができる。特に、ハンマの実際の回動を実行することができる。
【００２７】
より詳細には、本発明は、時計の時打ち機構１００であって、少なくとも１つのゴングまたは放射要素２を支持する固定構造１と、前記機構１００に含まれる作動可動部品４の作用下で固定構造１に対して相対的な可動ハンマ３とを備える時打ち機構１００に関する。この作動可動部品４は、少なくとも１つのゴングまたは放射要素２の打撃のために前記ハンマ３のアンクルおよび解放を制御するように配置される。
【００２８】
本発明によれば、時打ち機構１００は、ハンマ３を吊り下げるために、少なくとも１つの可撓性ガイド１０を備え、この可撓性ガイド１０は、固定構造１とハンマ３との間に配置されて、ハンマ３のムーブメントを可能にし、固定構造１とハンマ３との間に唯一の恒久的な機械的連結部を形成する。図示した非限定的な特定の代替実施形態において、機構１００は平面型の可撓性ガイド１０を備える。
【００２９】
より詳細には、時打ち機構１００は、作動可動部品４を駆動して時打ち機構を実行し、かつ作動可動部品４に巻きサイクルを実行させるように配置され、巻きサイクル中、作動可動部品４は、ハンマ３を駆動しながら、当該可撓性ガイド１０（一定量のエネルギーを蓄積する）にある量のエネルギーを供給し、その後、ハンマ３を解放して、この可撓性ガイド１０に蓄積されたエネルギーに対応する一定量のエネルギーを用いて、降下中にハンマ３による少なくとも１つのゴングまたは放射要素２の打撃によって時打ち機構を実行する。
【００３０】
特定の実施形態において、少なくとも１つの可撓性ガイド１０は平面状で、固定構造１とハンマ３との間に配置されて、単一平面Ｐのみにおけるハンマ３のムーブメントを可能にする。
【００３１】
特定の実施形態において、ハンマ３はそのような平面Ｐにおいて可動であり、少なくとも１つの可撓性ガイド１０は平面型で、複数の弾性ストリップ１１を備え、これらの弾性ストリップ１１は、平面Ｐまたは平面Ｐに平行な複数の平面において延び、互いに平行であるか、または実際に、仮想回動軸Ｄの高さで平面Ｐ上において突出して交差している。
【００３２】
特定の代替実施形態において、少なくとも１つの可撓性ガイド１０は、少なくとも１つの双安定または多安定弾性ストリップを備える。
【００３３】
代替実施形態において、時打ち機構は少なくとも１つの可撓性ガイド１０を備え、この可撓性ガイド１０は、平面Ｐにおけるハンマ３の巻きおよび降下移動時にハンマ３を案内し、降下移動の終了時にハンマ３を加速させるように配置される。
【００３４】
より詳細には、少なくとも１つの可撓性ガイド１０は、平面Ｐにおけるハンマ３の巻きおよび降下移動時にハンマ３を案内するように配置された少なくとも１つの第１の弾性ストリップと、降下移動の終了時にハンマ３を加速させるように配置された少なくとも１つの第２の弾性ストリップとを備える。
【００３５】
特定の実施形態において、可撓性ガイド１０のうちの少なくとも１つは補強ストリップ１２を備え、この補強ストリップ１２は、ハンマ３の降下移動中およびゴングまたは放射要素２に対する打撃前に、固定構造１に堅く接続された固定バンキング１３に特に中央部分において当接することにより協働するように配置されて、ハンマ３がゴングまたは放射要素２に衝突する直前にハンマ３を加速させる。
【００３６】
代替実施形態において、ハンマ３は、ハンマ３を回動させるための巻き段階中に作動可動部品４に含まれる作動歯１５と協働するように配置された第１の巻き歯１４を備え、ハンマ３は、第１の巻き歯１４から離れたところに、ゴングまたは放射要素２を叩くように配置されたストライカ１７を備え、時打ち機構１００は、第１の巻き歯１４付近およびストライカ１７付近に可撓性ガイド１０を備える。
【００３７】
より詳細には、ハンマ３は、ハンマ３を回動させるための巻き段階中に作動可動部品４に含まれる作動歯１５と協働するように配置された第１の巻き歯１４を備え、可撓性ガイド１０は、第１の巻き歯１４付近に第１の弾性ストリップを備え、ハンマ３は、第１の巻き歯１４から離れたところに、ゴングまたは放射要素２を叩くように配置されたストライカ１７を備え、可撓性ガイド１０は、ストライカ１７付近に少なくとも第２の弾性ストリップを備える。
【００３８】
さらなる代替実施形態において、時打ち機構１００は、時打ち機構香箱ならびに／またはエネルギー蓄積および分配手段を備え、ハンマ３は、ハンマ３を回動させるための巻き段階中に作動可動部品４に含まれる作動歯１５と協働するように配置された第１の巻き歯１４と、巻きの終了時および少なくとも降下開始時に２つのさらなる作動歯１５間に挿入されるように配置された第２の外れ防止歯１６とを備えて、前記時打ち機構香箱ならびに／またはエネルギー蓄積および分配手段の制御されない巻戻しを防止する。
【００３９】
磁気的な代替実施形態において、ハンマ３は、少なくとも１つのハンマ磁石２３または強磁性ハンマ要素を備え、このハンマ磁石２３または強磁性ハンマ要素は、可動部品の強磁性要素または可動部品の磁石２４と協働して、作動可動部品４によりハンマ３を駆動および解放するように配置される。
【００４０】
実施形態において、ハンマ３は実質的な回転ムーブメントまたは回転ムーブメントの組合せによって動く。
【００４１】
さらなる実施形態において、ハンマ３は長手方向ムーブメントによって動く。より詳細には、ハンマ３は、ベアリング・ブロック３４内で長手方向に案内される可動フレーム３３を備え、フレーム３３は内部にチャンバ３５を備え、チャンバ３５内に、静止突起３６が作動可動部品４に含まれる作動歯１５と協働するように配置される。
【００４２】
特定の実施形態において、ハンマ３およびハンマ３を支持する可撓性ガイド１０、ならびにハンマ３が協働するゴングまたは放射要素２は、平面Ｐに沿って突出し、平面Ｐに垂直な平面に関して対称である。
【００４３】
代替実施形態において、時打ち機構１００は、ハンマ３を吊り下げるために、互いに離れた別々の複数の平面状可撓性ガイド１０を備える。
【００４４】
代替実施形態において、時打ち機構１００は複数のハンマ３と複数のゴングまたは放射要素２とを備える。
【００４５】
代替実施形態において、ハンマ３とハンマ３を支持する可撓性ガイド１０のうちの１つとはともに、時打ち機構を規制するように配置された共振器を形成する。
【００４６】
本発明はさらに、エネルギー蓄積および／または発生手段２００と、時打ち機構１００を駆動するように配置された時計ムーブメント３００とを備える腕時計１０００に関する。
【００４７】
本発明は、以下の多くの利点をもたらす。
ハンマばねにプレストレスを与えることにより、時打ち機構の一定の強度が可能になる。
適切な設計の４棒型機構により、時打ち中にハンマを加速させることができる。
時打ち機構の音質が向上する。
【符号の説明】
【００４８】
１  固定構造
２  ゴングまたは放射要素
３  ハンマ
４  作動可動部品
１０  可撓性ガイド
１１  弾性ストリップ
１２  補強ストリップ
１３  固定バンキング
１４  第１の巻き歯
１５  作動歯
１６  第２の外れ防止歯
１７  ストライカ
２３  ハンマ磁石
２４  磁石
３３  可動フレーム
３４  ベアリング・ブロック
３５  チャンバ
３６  静止突起
１００  時打ち機構
２００  エネルギー蓄積および／または発生手段
３００  時計ムーブメント
１０００  腕時計
Ｄ  仮想回動軸
Ｐ  平面
【図１】
2020091287.tif 000003
【図２】
2020091287.tif 000004
【図３】
2020091287.tif 000005
【図４】
2020091287.tif 000006
【図５】
2020091287.tif 000007
【図６】
2020091287.tif 000008
【図７】
2020091287.tif 000009
【図８】
2020091287.tif 000010
【図９】
2020091287.tif 000011
【図１０】
2020091287.tif 000012
【図１１】
2020091287.tif 000013
【図１２】
2020091287.tif 000014
【図１３】
2020091287.tif 000015
【外国語明細書】
2020091287000001.pdf